(57)【特許請求の範囲】
【請求項１】
アウトソールと、
このアウトソールの底面は、該アウトソールのつま先部において前記アウトソールの長手方向の前端側に向かって上方に傾斜し、歩行時に地面に接地する第１の傾斜部と、前記アウトソールの踵部において前記アウトソールの長手方向の後端側に向かって上方に傾斜し、歩行時に地面に接地する第２の傾斜部とを有し、
前記アウトソールの上方に設けられたインソールと、
前記アウトソールと前記インソールのいずれの部材よりも硬い部材であって、前記アウトソールと前記インソールとの間に位置し、前記アウトソールの土踏まず部から前記アウトソールの前記つま先部に向かって延びると共に前記アウトソールの前記土踏まず部から前記アウトソールの前記踵部に向かって延びる補強部材とを備え、
前記アウトソールの底面において、前記第１の傾斜部と前記第２の傾斜部との間に略水平な水平面を有する水平部が設けられており、
この水平部が地面に接地して直立静止でき、
前記アウトソールは、発泡樹脂で形成されると共に上面に前記補強部材を嵌め込む凹部を有し、
この凹部に前記補強部材が嵌着され、該補強部材を前記凹部に嵌着したとき、前記補強部材の外周上縁と前記凹部の内周上縁との間に段差がなく、
前記アウトソールの長手方向を横断する方向であって、前記アウトソール上面の前記凹部の外側に位置する部位において、該アウトソールと前記インソールとが直接当接し、接着されていることを特徴とする履物。
【請求項２】
アウトソールと、
このアウトソールの底面は、該アウトソールのつま先部において前記アウトソールの長手方向の前端側に向かって上方に傾斜し、歩行時に地面に接地する第１の傾斜部と、前記アウトソールの踵部において前記アウトソールの長手方向の後端側に向かって上方に傾斜し、歩行時に地面に接地する第２の傾斜部とを有し、
前記アウトソールの上方に設けられたインソールと、
前記アウトソールと前記インソールのいずれの部材よりも硬い部材であって、前記アウトソールと前記インソールとの間に位置し、該アウトソールの前記つま先部から前記踵部に亘って設けられた補強部材とを備え、
前記アウトソールの底面において、前記第１の傾斜部と前記第２の傾斜部との間に略水平な水平面を有する水平部が設けられており、
この水平部が地面に接地して直立静止でき、
前記アウトソールは、発泡樹脂で形成されると共に上面に前記補強部材を嵌め込む凹部を有し、
この凹部に前記補強部材が嵌着され、該補強部材を前記凹部に嵌着したとき、前記補強部材の外周上縁と前記凹部の内周上縁との間に段差がなく、
前記アウトソールの長手方向を横断する方向であって、前記アウトソール上面の前記凹部の外側に位置する部位において、該アウトソールと前記インソールとが直接当接し、接着されていることを特徴とする履物。
【発明の詳細な説明】
【技術分野】
【０００１】
本発明は、アウトソールのつま先部および踵部の底面にそれぞれ第１および第２の傾斜部を設けた履物であって、アウトソールの変形を防止し、歩行に際して足裏にかかる体重を踵からつま先に向かって円滑に移動させてスムーズな歩行ができる履物に関する。
【背景技術】
【０００２】
従来、履物のアウトソールの底面に、該アウトソールのつま先部においてアウトソールの長手方向の前端側に向かって上方に傾斜し、歩行時に地面に接地する第１の傾斜部と、アウトソールの踵部においてアウトソールの長手方向の後端側に向かって上方に傾斜し、歩行時に地面に接地する第２の傾斜部とを設け、この履物を履いて歩行したときの足への負担を減らして、スムーズな歩行ができるような履物が提案されている（例えば、特許文献１の図１参照）。
【０００３】
このような履物にあっては、歩行したときに、まず、アウトソールの踵部の第２の傾斜部が地面に接地し、次いで第２の傾斜部が地面から離間すると共にアウトソールのつま先部の第１の傾斜部が地面に接地することにより、履物が揺りかごのように揺動し、足裏にかかる体重を踵からつま先に向かって円滑に移動させることができるため、スムーズな歩行が可能となるものである。
【特許文献１】特許第２７９１６５８号公報
【発明の開示】
【発明が解決しようとする課題】
【０００４】
しかしながら、このような履物にあっては、アウトソールの底面に第１および第２の傾斜部が設けられ、加えて、歩行時の衝撃吸収性や履き心地の良さを確保するために、アウトソールおよびインソールは比較的柔軟な材料で作られているため、履物を履いたときの足裏面にかかる体重によりインソールおよびアウトソールが下方へ押圧されて変形し、アウトソールの第１および第２の傾斜部における傾斜を保持できなくなり、踵からつま先への体重の円滑な移動が阻害されてスムーズな歩行ができなくなるという問題点があった。
【０００５】
本発明は、上述した問題点を解決するためになされたものである。
【課題を解決するための手段】
【０００６】
請求項１に係る発明は、アウトソールと、このアウトソールの底面は、該アウトソールのつま先部において前記アウトソールの長手方向の前端側に向かって上方に傾斜し、歩行時に地面に接地する第１の傾斜部と、前記アウトソールの踵部において前記アウトソールの長手方向の後端側に向かって上方に傾斜し、歩行時に地面に接地する第２の傾斜部とを有し、前記アウトソールの上方に設けられたインソールと、前記アウトソールと前記インソールのいずれの部材よりも硬い部材であって、前記アウトソールと前記インソールとの間に位置し、前記アウトソールの土踏まず部から前記アウトソールの前記つま先部に向かって延びると共に前記アウトソールの前記土踏まず部から前記アウトソールの前記踵部に向かって延びる補強部材とを備え、前記アウトソールの底面において、前記第１の傾斜部と前記第２の傾斜部との間に略水平な水平面を有する水平部が設けられており、この水平部が地面に接地して直立静止でき、前記アウトソールは、発泡樹脂で形成されると共に上面に前記補強部材を嵌め込む凹部を有し、この凹部に前記補強部材が嵌着され、該補強部材を前記凹部に嵌着したとき、前記補強部材の外周上縁と前記凹部の内周上縁との間に段差がなく、前記アウトソールの長手方向を横断する方向であって、前記アウトソール上面の前記凹部の外側に位置する部位において、該アウトソールと前記インソールとが直接当接し、接着されている履物である。
【０００７】
請求項２に係る発明は、アウトソールと、このアウトソールの底面は、該アウトソールのつま先部において前記アウトソールの長手方向の前端側に向かって上方に傾斜し、歩行時に地面に接地する第１の傾斜部と、前記アウトソールの踵部において前記アウトソールの長手方向の後端側に向かって上方に傾斜し、歩行時に地面に接地する第２の傾斜部とを有し、前記アウトソールの上方に設けられたインソールと、前記アウトソールと前記インソールのいずれの部材よりも硬い部材であって、前記アウトソールと前記インソールとの間に位置し、該アウトソールの前記つま先部から前記踵部に亘って設けられた補強部材とを備え、前記アウトソールの底面において、前記第１の傾斜部と前記第２の傾斜部との間に略水平な水平面を有する水平部が設けられており、この水平部が地面に接地して直立静止でき、前記アウトソールは、発泡樹脂で形成されると共に上面に前記補強部材を嵌め込む凹部を有し、この凹部に前記補強部材が嵌着され、該補強部材を前記凹部に嵌着したとき、前記補強部材の外周上縁と前記凹部の内周上縁との間に段差がなく、前記アウトソールの長手方向を横断する方向であって、前記アウトソール上面の前記凹部の外側に位置する部位において、該アウトソールと前記インソールとが直接当接し、接着されている履物である。
【発明の効果】
【００１０】
請求項１に記載の履物によれば、本発明の履物は、アウトソールとインソールのいずれの部材よりも硬い部材であって、前記アウトソールと前記インソールとの間に位置し、前記アウトソールの土踏まず部から前記アウトソールのつま先部に向かって延びると共に前記アウトソールの前記土踏まず部から前記アウトソールの前記踵部に向かって延びる補強部材とを備えているため、
従来の履物のように履物を履いたときのアウトソールによる衝撃吸収性やインソールによる履き心地の良さを確保しつつ、体重がかかってもアウトソールの底面の第１および第２の傾斜部が変形するのを防止し、これら第１および第２の傾斜部の傾斜を保持することにより、歩行に際し足裏にかかる体重を踵からつま先に向かって円滑に移動させてスムーズな歩行を行うことができる。
【００１１】
請求項２に記載の履物によれば、本発明の履物は、アウトソールとインソールのいずれの部材よりも硬い部材であって、前記アウトソールと前記インソールとの間に位置し、該アウトソールのつま先部から踵部に亘って設けられた補強部材を備えているため、
従来の履物のように履物を履いたときのアウトソールによる衝撃吸収性やインソールによる履き心地の良さを確保しつつ、体重がかかってもアウトソールの底面の第１および第２の傾斜部が変形するのを防止し、これら第１および第２の傾斜部の傾斜を保持することにより、歩行に際し足裏にかかる体重を踵からつま先に向かって円滑に移動させてスムーズな歩行を行うことができる。
【発明を実施するための最良の形態】
【００１４】
本発明の実施例を、図１〜図６に基づき説明する。図１、２、４、５においてＡは本発明の履物であり、履物Ａは、概略的に、アウトソール１と、インソール３と、補強部材２とを備えている。また、必要に応じて種々の形状の甲被部材４が設けられる。
【００１５】
アウトソール１は、歩行時に地面ｇに接地し、接地時の衝撃を吸収するものであり、このアウトソール１の底面は、図２に示したように、該アウトソール１のつま先部１ａ（足ｆのつま先に対応する部位）においてアウトソール１の長手方向の前端側に向かって上方に傾斜し、歩行時に地面ｇに接地する第１の傾斜部１ｘと、アウトソール１の踵部１ｃ（足ｆの踵に対応する部位）においてアウトソール１の長手方向の後端側に向かって上方に傾斜し、歩行時に地面ｇに接地する第２の傾斜部１ｙとを有している。
【００１６】
前述の第１の傾斜部１ｘおよび第２の傾斜部１ｙの形状は、平面であっても、曲面であっても構わないが、履物Ａを履いて直立したとき、少なくともアウトソール１のつま先部１ａおよび踵部１ｃが地面ｇから離間する傾斜角度を有している必要がある。第１の傾斜部１ｘおよび第２の傾斜部１ｙの形状が曲面である場合には下方に向かって凸状となるように設けるのが好ましい。
【００１７】
なお、アウトソール１は、地面への接地時の衝撃を吸収できるように、例えば、ポリウレタンやエチレン酢酸ビニル共重合体（ＥＶＡ）の発泡体、合成ゴム、生ゴム、ポリ塩化ビニル（ＰＶＣ）など、柔軟性を有する部材により構成される。
【００１８】
インソール３は、アウトソール１の上方に設けられるものであり、履物Ａを履いたときに足裏が直接接触するため、履物の履き心地が良くなるように、例えば、ポリウレタンやエチレン酢酸ビニル共重合体（ＥＶＡ）の発泡体、合成皮革、フェルトなど、柔軟性を有する部材が用いられる。
【００１９】
また、このインソール３は、外観を良くしたり、足裏の滑り止めを行う等のために、被覆部材（図示せず）により被覆する構成としてもよい。
【００２０】
補強部材２は、履物を履いたときに体重がかかってもアウトソール１の第１の傾斜部１ｘおよび第２の傾斜部１ｙが下方に変形するのを防止するものであり、アウトソール１とインソール３のいずれの部材よりも硬い部材であって、図１および図２に示したように、アウトソール１とインソール３との間に位置し、アウトソール１の土踏まず部１ｂ（足ｆの土踏まずに対応する部位）からアウトソール１のつま先部１ａに向かって延びると共にアウトソール１の土踏まず部１ｂからアウトソール１の踵部１ｃに向かって延びるものである。
【００２１】
この補強部材２は、図３に示したように、例えば、アウトソール１の上面に補強部材２を嵌め込む凹部１ｄを設けて該凹部１ｄに嵌着してもよく、特に、アウトソール１が発泡樹脂で形成される場合にあっては、成形後の発泡樹脂を確実に補強することができる点で有効である。また、補強部材２を凹部１ｄに嵌着したとき、補強部材２の外周上縁と凹部１ｄの内周上縁との間に段差がないように形成するのが好ましく、更には、補強部材２の外表面２ａとアウトソール１の凹部１ｄの外周上面１ｅとが同面であるのがより好ましい。ここで、アウトソール１と補強部材２とインソール３とは、例えば、公知の接着剤により接着して固定される。
【００２２】
なお、補強部材２は、履物を履いて歩行してもアウトソール１の第１の傾斜部１ｘおよび第２の傾斜部１ｙの傾斜を保持できる程度に硬く変形し難い部材であり、例えば、ステンレス鋼、アルミニウム、チタン合金などの金属材料や、ＡＢＳ樹脂、ＥＶＡ樹脂、炭素樹脂、ポリエチレン、ゴム系樹脂（ＴＰＲ）などの強度の高いプラスチック材料を用いることができる。また、履物の軽量化を図ることができる点では、プラスチック材料を用いるのが好ましい。
【００２３】
次に、上述した履物Ａの作用について図４に基づき説明する。図４は履物Ａを履いて歩行したときの履物Ａと地面ｇの位置関係を示したものであり、歩行する際の経時的な変化を図４（ａ）、（ｂ）、（ｃ）の順で図示している。図４（ａ）は、足ｆを前方に踏み出してアウトソール１が地面ｇに接地したときの状態を示しており、通常は履物Ａが斜めの状態でアウトソール１の踵部１ｃから着地するが、この踵部１ｃに第２の傾斜部１ｙが設けられている分、地面ｇに対して踵部１ｃが略平行に近い状態で接地する。
【００２４】
そして、身体が前方に移動するに従い、履物Ａが揺りかごのように前方に斜倒し、アウトソール１の第２の傾斜部１ｙが上昇して地面ｇから離間すると共にアウトソール１のつま先部１ｘが下降し、図４（ｂ）に示したように、履物Ａが略水平な状態になる。
【００２５】
そして、更に身体が前方に移動すると、引き続き履物Ａが揺りかごのように前方に斜倒し、図４（ｃ）に示したように、アウトソール１のつま先部１ａが接地するが、このつま先部１ａに第１の傾斜部１ｘが設けられている分、履物Ａが前端を下方にして斜倒しても地面ｇに対してつま先部１ａが略平行に近い状態で接地する。
【００２６】
このとき、本発明の履物Ａにあっては、アウトソール１とインソール３のいずれの部材よりも硬い補強部材２が、アウトソール１とインソール３との間に位置し、アウトソール１の土踏まず部１ｂからアウトソール１のつま先部１ａに向かって延びると共にアウトソール１の土踏まず部１ｂからアウトソール１の踵部１ｃに向かって延びているため、履物を履いたときの体重によりインソール３が下方に向かって押圧されたとしても、この硬い補強部材２によりアウトソール１の第１の傾斜部１ｘおよび第２の傾斜部１ｙが下方に変形するのを防止してこれら第１および第２の傾斜部の傾斜を保持することができ、歩行に際しアウトソール１の底面が踵部１ｃからつま先部１ａに向かって揺りかごのように順次地面ｇに接地することにより、歩行者の足裏にかかる体重を踵からつま先に向かって円滑に移動させてスムーズな歩行を行うことができる。
【００２７】
ところで、上述した図１〜図４では、補強部材２は、アウトソール１の土踏まず部１ｂからアウトソール１のつま先部１ａに向かって延びると共にアウトソール１の土踏まず部１ｂからアウトソール１の踵部１ｃに向かって延びるものの内、アウトソール１の上面の一部に設けたものを例示したが、図６（ａ）に示したように、この補強部材２をアウトソール１のつま先部１ａの前端から踵部１ｃの後端に亘って設ける構成としたり、アウトソール１の幅寸法に亘って設ける構成（図示せず）としてもよい。
【００２８】
また、アウトソール１の形状は、図５に示したように、該アウトソール１の底面において、第１の傾斜部１ｘと第２の傾斜部１ｙとの間に略水平な水平面を有する水平部１ｚを設ける構成としてもよい。この水平部１ｚを設けることにより、履物Ａを履いた状態で直立静止する場合であっても、水平部１ｚの水平面が地面ｇに平面的に接地することにより、安定して直立静止することができる。
【００２９】
さらに、補強部材２の形状は、図１、図３、図６（ａ）に示したように、アウトソール１の上縁の形状に沿わせたものとしてもよいが、図６（ｂ）に示したように平面視樹枝状に形成したり、図６（ｃ）に示したように、一または二以上の孔２ｃを穿設して（図６（ｃ）では二以上の孔２ｃが設けられた補強部材２を例示）平面視中抜き状に形成したりしてもよい。
【図面の簡単な説明】
【００３０】
【図１】本発明に係る履物の斜視図である。
【図２】図１のＸ−Ｘ線で切断した断面図である。
【図３】図１のアウトソール、補強部材およびインソールの分解斜視図である。
【図４】図１の履物を履いて歩行したときのＸ−Ｘ線で切断した断面図であり、図４（ａ）、（ｂ）、（ｃ）は順に経時的な変化を示している。
【図５】図１のアウトソールの変形例であって、図１のＸ−Ｘ線に相当する線で切断したを示した断面図である。
【図６】図１の補強部材の変形例であって、補強部材とアウトソールを示した斜視図であり、図６（ａ）は補強部材をアウトソールのつま先部から踵部に亘って設けたものを、図６（ｂ）は補強部材を平面視樹枝状に形成したものを、図６（ｃ）は補強部材を平面視中抜き状に形成したものをそれぞれ示している。
【符号の説明】
【００３１】
Ａ      履物
ｆ      足
１      アウトソール
１ａ    つま先部
１ｂ    土踏まず部
１ｃ    踵部
１ｘ    第１の傾斜部
１ｙ    第２の傾斜部
１ｚ    水平部
２      補強部材
３      インソール
【要約】
【課題】本発明は、アウトソールのつま先部および踵部の底面にそれぞれ第１および第２の傾斜部を設けた履物であって、アウトソールの変形を防止し、歩行に際して足裏にかかる体重を踵からつま先に向かって円滑に移動させてスムーズな歩行ができる履物を提供する。
【解決手段】本発明の履物Aは、アウトソール１と、このアウトソール１の底面は、該アウトソール１のつま先部１ａにおいてアウトソール１の長手方向の前端側に向かって上方に傾斜し、歩行時に地面に接地する第１の傾斜部１ｘと、アウトソール１の踵部１ｃにおいてアウトソール１の長手方向の後端側に向かって上方に傾斜し、歩行時に地面に接地する第２の傾斜部１ｙとを有し、アウトソール１の上方に設けられたインソール３と、アウトソール１とインソール３のいずれの部材よりも硬い部材であって、アウトソール１とインソール３との間に位置し、土踏まず部１ｂからつま先部１ａに向かって延びると共に土踏まず部１ｂから踵部１ｃに向かって延びる補強部材２とを備えているものである。
【選択図】図１【図１】
0004164115.tif 000002
【図２】
0004164115.tif 000003
【図３】
0004164115.tif 000004
【図４】
0004164115.tif 000005
【図５】
0004164115.tif 000006
【図６】
0004164115.tif 000007